(57)【要約】【課題】電気プローブ及び電気コネクタの提供。【解決手段】この開示は、電気プローブを提供し、電気プローブは、縦軸に沿って延伸し、第１の端部における開口部を有する内部キャビティを形成しているシェルを含むことができ、シェルは、縦軸の周りでねじられて内部カム表面を形成している中空の多角形シャフトにより形成されている首状部を含むことができる。電気プローブはまた、内部キャビティにスライド可能に収納されているプランジャも含むことができる。プランジャは、第１の端部における開口部を、少なくとも部分的には通して延伸するように構成されている先端部と、先端部と一体的に形成され、中空の多角形シャフトの断面形状に実質的に対応する断面形状を有し、それによりプランジャがシェルの縦軸に沿って往復運動をするときに、首状部の内部カム表面と係合して、先端部の回転を引き起こすことができるカム要素を含むことができる。【選択図】図１０
2020012848.tif 000002
【特許請求の範囲】
【請求項１】
電気プローブであって、
縦軸に沿って延伸し、第１の端部における開口部を有する内部キャビティを形成し、前記縦軸の周りでねじられて内部カム表面を形成している中空の多角形のシャフトにより形成されている首状部を備えている、シェルと、
前記内部キャビティにスライド可能に収納されたプランジャであって、
前記プランジャが、
前記第１の端部における前記開口部を、少なくとも部分的には通して延伸するように構成されている先端部と、
前記先端部と一体的に形成されているカム要素と、
を備えており、
前記カム要素は、前記縦軸に直交している面において、外周が、前記中空の多角形のシャフトの断面部の内周と同じ又はそれ未満であるように形成されている形を有し、これにより、前記プランジャが前記シェルの前記縦軸に沿って往復運動をするときに、前記カム要素が、前記首状部の前記内部カム表面と係合して、前記先端部の回転を引き起こす、
プランジャと、
前記プランジャに付勢力を加えるように構成されている、付勢装置と、
を備えている、
電気プローブ。
【請求項２】
前記カム要素は、多角形のプレートを備えている、
請求項１に記載の電気プローブ。
【請求項３】
前記カム要素は、前記縦軸と直交している前記面における幅よりも小さい、前記縦軸に沿う厚さを有する正方形プレートを備えている、
請求項２に記載の電気プローブ。
【請求項４】
前記カム要素が、ねじられていない、
請求項２に記載の電気プローブ。
【請求項５】
前記多角形のプレートの少なくとも１つの頂点は、前記多角形のプレートの２つの隣接する側面の間で面取りされている、
請求項２に記載の電気プローブ。
【請求項６】
前記シェルは、前記カム要素の表面に接し、前記プランジャが、前記第１の端部における前記開口部を通して、所定の距離を越えて延伸することを防止するように構成されている肩状部を更に備えている、
請求項１に記載の電気プローブ。
【請求項７】
ねじられている前記中空の多角形のシャフトにより形成されている前記内部カム表面は、前記カム要素を収納するための形状及びサイズにされている螺旋状カム表面を備えている、
請求項１に記載の電気プローブ。
【請求項８】
前記首状部を形成している前記中空の多角形のシャフトは、前記縦軸の周りを約９０度未満ねじられている、
請求項１に記載の電気プローブ。
【請求項９】
前記シェルは、ソケット本体のソケットキャビティに取り付けられている、
請求項１に記載の電気プローブ。
【請求項１０】
前記シェルを前記ソケットキャビティに取り付けるために、前記シェルと前記ソケットキャビティとの間の間隙に注入される結合材料を更に備えている、
請求項９に記載の電気プローブ。
【請求項１１】
前記結合材料は、エポキシである、
請求項１０に記載の電気プローブ。
【請求項１２】
前記第１の端部とは反対側の、前記シェルの第２の端部において形成されている別の開口部を、少なくとも部分的には通して延伸するように構成されている先端部を有する別のプランジャを更に備え、
前記付勢装置は、前記プランジャと、前記別のプランジャとの間に配置されている、
請求項１に記載の電気プローブ。
【請求項１３】
前記第２の端部における前記別の開口部は、前記第１の及び第２のプランジャと前記付勢装置とを、前記シェルの前記内部キャビティの内部に保持するため、保持部により閉じられ、
前記保持部は、前記別のプランジャの前記先端部が、少なくとも部分的には延伸する保持部キャビティを備えている、
請求項１２に記載の電気プローブ。
【請求項１４】
電気コネクタであって、
複数のソケットキャビティを備えているソケット本体と、
対応する前記複数のソケットキャビティの内部に配置されている複数の電気プローブと、
を備え、
前記複数の電気プローブのそれぞれは、
各対応するソケットキャビティの内部表面に取り付けられ、縦軸に沿って延伸し、第１の端部における開口部を有する内部キャビティを形成し、前記縦軸の周りでねじられて内部カム表面を形成している中空の多角形シャフトにより形成されている首状部を備えている、シェルと、
前記内部キャビティにスライド可能に収納されているプランジャであって、
前記プランジャが、
前記第１の端部における前記開口部を、少なくとも部分的には通して延伸するように構成されている先端部と、
前記先端部と一体的に形成されているカム要素と、
を備え、
前記カム要素は、前記縦軸に直交している面において、外周が前記中空の多角形シャフトの断面部の内周と同じ又はそれ未満であるように形成されている形を有し、これにより、前記カムが、要素前記プランジャが前記シェルの前記縦軸に沿って往復運動をするときに、前記首状部の前記内部カム表面と係合して、前記先端部の回転を引き起こす、
プランジャと、
前記プランジャに付勢力を加えるように構成されている、付勢装置と、
を備えている、
電気コネクタ。
【請求項１５】
前記カム要素は、多角形のプレートを備えている、
請求項１４に記載の電気コネクタ。
【請求項１６】
前記カム要素は、前記縦軸と直交している前記面における幅よりも小さい、前記縦軸に沿う厚さを有する正方形プレートを備えている、
請求項１５に記載の電気コネクタ。
【請求項１７】
前記カム要素が、ねじられていない、
請求項１５に記載の電気コネクタ。
【請求項１８】
ねじられている前記中空の多角形シャフトにより形成されている前記内部カム表面は、前記カム要素を収納するための形状及びサイズにされている螺旋状カム表面を備えている、
請求項１４に記載の電気コネクタ。
【請求項１９】
電気コネクタを製造する方法であって、
縦軸の周りにねじられている多角形のシャフトにより形成されている首状部を備え、外部表面上にメッキ層を有する、メッキされたマンドレルを、ソケット本体のソケットキャビティ内に挿入するステップと、
前記メッキされたマンドレルを、前記ソケットキャビティ内に固定するステップと、
前記ソケットキャビティから前記マンドレルを除去するステップであって、
前記ソケットキャビティに固定されているシェルを形成するために、前記メッキ層の少なくとも一部を残しながら、前記ソケットキャビティから前記マンドレルを除去するステップであって、前記シェルの内部キャビティが、前記首状部のねじられている前記多角形のシャフトにより形成されているカム表面を備えるようにする、
ステップと
プランジャと付勢装置とを、前記シェルの前記内部キャビティ内に挿入するステップであって、
前記プランジャが、
先端部と、
前記先端部と一体的に形成されているカム要素と、
を備えており、
前記カム要素は、前記縦軸に直交している面において、外周が前記多角形のシャフトの断面部の内周と同じ又はそれ未満であるように形成されている形を有し、これにより、前記カム要素が、前記プランジャが前記縦軸に沿って往復運動をするときに、前記シェルの前記カム表面と係合して、前記先端部の回転を引き起こす、
ステップと、
を備えている、
電気コネクタを製造する方法。
【請求項２０】
前記カム要素は、多角形のプレートを備えている、
請求項１９に記載の方法。
【請求項２１】
前記カム要素は、前記縦軸と直交している前記面における幅よりも小さい、前記縦軸に沿う厚さを有する正方形プレートを備えている、
請求項２０に記載の方法。
【請求項２２】
前記カム要素が、ねじられていない、
請求項１９に記載の方法。
【請求項２３】
ねじられている前記多角形のシャフトにより前記シェルの内部に形成されている前記カム表面は、前記カム要素を収納するための形状及びサイズにされている螺旋状カム表面を備えている、
請求項１９に記載の方法。
【請求項２４】
前記マンドレルの前記首状部は、前記縦軸の周りを約９０度未満ねじられている、
請求項１９に記載の方法。
【請求項２５】
前記メッキされたマンドレルを前記ソケットキャビティ内に固定するステップが、前記メッキされたマンドレルと前記ソケットキャビティとの間の間隙に結合材料を注入するステップを備え、前記メッキされたマンドレルを前記ソケットキャビティに固定する、
請求項１９に記載の方法。
【発明の詳細な説明】
【技術分野】
【０００１】
本開示は、一般的には電気コネクタに関し、より特別には、回転可能プランジャを有する電気プローブと、これに関連する製作方法に関する。
【背景技術】
【０００２】
電子及び半導体産業においては、製造プロセスの一部として、試験システムを使用して、集積回路（ＩＣ）チップを試験して認可を与える。試験システムは、典型的には、ＩＣチップを収納するためのソケット本体、ＩＣチップを試験するためのプリント回路基板（ＰＣＢ）、及びＩＣチップとＰＣＢとの間の電気的接続を提供するための電気コネクタ、を含んでいる。電気コネクタは、ソケット本体の内部に位置している複数の電気プローブを含むことができる。各電気プローブは、一対のプランジャと、一対のプランジャの間に配置されているばねと、を含むことができる。プランジャとばねとは、ばねが付勢力をプランジャに対して加えてプランジャをシェルに対して外側に付勢させるように、シェル又はケーシングの内部に収納できる。
【発明の概要】
【発明が解決しようとする課題】
【０００３】
しかし、電気プローブのあるタイプは、ＩＣチップのあるタイプを試験するために適切でないこともある。例えば、ＱＦＮ（ｑｕａｄ−ｆｌａｔ  ｎｏ−ｌｅａｄｓ）チップは、相対的に小さな電気的接続用露出接触表面を有している。そして幾つかの例においては、これらの表面は、製造プロセスの間に生成される「ごみ」又は汚染物質で覆われていて、プランジャとＩＣチップとの間の電気的接続を干渉することもあり得る。このため、垂直方向にのみ往復運動をする電気プローブは、チップを試験するための適切な電気的接続を確実にするためには、十分ではないこともあり得る。
【課題を解決するための手段】
【０００４】
本開示の種々の例として実施の形態は、回転可能プランジャを有する電気プローブを提供でき、そのプランジャの先端部は、自身の軸の周りを回転して、接触領域においてＩＣチップを覆っている「ごみ」又は汚染物質を擦り取ることができ、これにより、ＩＣチップとの向上した電気的接続をもたらすことができる。
【０００５】
本開示の１つの例としての態様によれば、電気プローブは、シェルを含むことができ、このシェルは、縦軸に沿って延伸し、第１の端部における開口部を有する内部キャビティを形成しており、シェルは、縦軸の周りでねじられて内部カム表面を形成している中空の多角形シャフトにより形成されている首状部を含むことができる。電気プローブはまた、内部キャビティにスライド可能に収納されているプランジャも含むことができる。プランジャは、少なくとも部分的には、第１の端部における開口部を通して延伸するように構成されている先端部と、先端部と共に一体的に形成されているカム要素を含むことができ、カム要素は、縦軸に実質的に直交している面において、外周が中空の多角形シャフトの断面部の内周と実質的に同じ、又はそれ未満であるように形成されている形を有している。幾つかの例としての実施の形態においては、プランジャがシェルの縦軸に沿って往復運動をするときに、カム要素は、首状部の内部カム表面と係合して、先端部の回転を引き起こすことができる。プランジャはまた、付勢力をプランジャに加えるように構成されている付勢装置も含むことができる。
【０００６】
別の例としての態様においては、電気コネクタは、複数のソケットキャビティと、対応する複数のソケットキャビティの内部に配置されている複数の電気プローブを備えているソケット本体を含むことができる。複数の電気プローブのそれぞれは、各対応するソケットキャビティの内部表面に取り付けられているシェルを含むことができ、シェルは、縦軸に沿って延伸でき、第１の端部における開口部を有する内部キャビティを形成できる。シェルはまた、縦軸の周りでねじられて内部カム表面を形成している中空の多角形シャフトにより形成されている首状部も含むことができる。電気プローブはまた、内部キャビティにスライド可能に収納されているプランジャも含むことができ、プランジャは、少なくとも部分的には、第１の端部における開口部を通して延伸するように構成されている先端部と、先端部と共に一体的に形成されているカム要素を含むことができ、カム要素は、縦軸に実質的に直交している面において、外周が中空の多角形シャフトの断面部の内周と実質的に同じ、又はそれ未満であるように形成された形を有している。例としての実施の形態においては、プランジャがシェルの縦軸に沿って往復運動をするときに、カム要素は、首状部の内部カム表面と係合して先端部の回転を引き起こすことができる。電気プローブはまた、付勢力をプランジャに加えるように構成されている付勢装置も含むことができる。
【０００７】
幾つかの例としての態様によれば、電気コネクタを製造する方法が提供される。方法は、メッキされたマンドレルを、ソケット本体のソケットキャビティ内に挿入することを含むことができ、メッキされたマンドレルは、マンドレルの外部表面上にメッキ層を有することができる。マンドレルは、縦軸の周りでねじられている、実質的に多角形のシャフトにより形成されている首状部を含むことができる。方法は、メッキされたマンドレルをソケットキャビティ内に固定し、ソケットキャビティに固定されたシェルを形成するために、メッキ層の少なくとも一部を残しながら、ソケットキャビティからマンドレルを除去することを更に含むことができる。幾つかの例としての実施の形態においては、シェルの内部キャビティは、首状部のねじられている多角形シャフトにより形成されているカム表面を含むことができる。方法はまた、プランジャと付勢装置を、シェルの内部キャビティ内に挿入することも含むことができ、プランジャは、先端部と、先端部と共に一体的に形成されているカム要素を含むことができ、カム要素は、縦軸に実質的に直交している面において、外周が多角形シャフトの断面部の内周と実質的に同じ、又はそれ未満であるように形成された形を有している。１つの例としての実施の形態によれば、プランジャが縦軸に沿って往復運動をするときに、カム要素は、シェルのカム表面と係合して先端部の回転を引き起こすことができる。
【０００８】
本開示の追加的目的及び利点は、部分的には、後続の説明において記述され、部分的には記述から明白であり、又は、本開示の実践により知ることができる。本開示の目的及び利点は、付随する請求項において特に指摘されている要素及び組み合わせにより実現且つ達成される。
【０００９】
前述の一般的な説明と下記の詳細な説明の両者は、例示的且つ説明的なものに過ぎず、権利を主張されているような発明を制限するものではないということは理解されたい。
【００１０】
この明細書に組み込まれ、その一部を構成している付随する図面は、発明と矛盾しない種々の例としての実施の形態を例示し、説明と共に、発明の原理を説明する役割を果たしている。
【図面の簡単な説明】
【００１１】
【図１】本開示の１つの例としての実施の形態に係る、試験システムの種々の構成要素を例示している透視図である。
【図２】本開示の１つの例としての実施の形態に係る、ソケットキャビティに配置されている電気プローブの断面図である。
【図３】自由状態、ＰＣＢにより押されている状態、及び試験状態それぞれにおける、図２の電気プローブの断面図である。
【図４】自由状態、ＰＣＢにより押されている状態、及び試験状態それぞれにおける、図２の電気プローブの断面図である。
【図５】自由状態、ＰＣＢにより押されている状態、及び試験状態それぞれにおける、図２の電気プローブの断面図である。
【図６】１つの例としての実施の形態に係る、電気プローブのシェルを形成するために使用されるマンドレルの透視図である。
【図７】ソケットキャビティに位置しているメッキされたマンドレルを有するソケット本体の断面図である。
【図８】メッキされたマンドレルの上部及び底部端部が除去された後の、図７に示されているソケット本体の断面図である。
【図９】マンドレルが除去された後の、図８に示されているソケット本体の断面図である。
【図１０】図２の電気プローブの、例としての組み立てを例示している模式図である。
【発明を実施するための形態】
【００１２】
実施の形態の例が付随する図面において例示されている、本開示の例としての実施の形態をここで詳細に参照する。可能な場合はいつでも、図面を通して同じ参照番号が、同じ又は類似の部品に言及するために使用される。
【００１３】
図１は、１つの例としての実施の形態に係る、本開示の電気プローブを使用できる試験システム１００を例示している。本開示の種々の例としての実施形態は、ＩＣチップを試験するための特定の試験システムに関して記述されるが、本開示は、電子及び／又は半導体装置の多数の異なるタイプを含む、多様な他の試験システム及びアプリケーションに適用でき、又はそれらと共に使用できるということは理解されるべきである。
【００１４】
図１を参照すると、試験システム１００は、試験のためのＩＣチップ（図示せず）を収納するための位置合わせプレート２０と、複数のソケットキャビティ４５を有しているソケット本体４０と、ソケット本体４０の各ソケットキャビティ４５に搭載されている複数の電気プローブ６０と、ソケットキャビティ４５において電気プローブ６０を保持するように構成されている保持部８０を含むことができる。
【００１５】
位置合わせプレート２０は、試験されるＩＣチップを収納するための形状及びサイズにされているチップキャビティ２５を含むことができる。位置合わせプレート２０はまた、ＩＣチップがチップキャビティ２５に置かれたときに、ＩＣチップの接触パッドが、ソケット本体４０に搭載されている電気プローブ６０の対応する電気接触子と位置合わせできるようにも構成できる。位置合わせプレート２０はまた、位置合わせプレート２０を、ソケット本体４０及び／又は適切な支持フレームに締結するための適切な締結具も含むことができる。例えば、図１に示されているように、位置合わせプレート２０は、ソケット本体４０に形成されている対応する孔４２に延伸でき、及びその孔４２と係合できる、ネジ山を付けられた挿入物２２又はネジを含むことができる。位置合わせプレート２０とソケット本体４０のそれぞれはまた、位置合わせプレート２０とソケット本体４０をそれぞれに対して位置合わせさせるための、適切な位置合わせ機能部４３及び位置合わせ孔４７も含むことができる。
【００１６】
保持部８０は、ソケット本体４０のそれぞれのソケットキャビティ４５に対して位置合わせしている１つ以上の保持部キャビティ８５を有している、実質的に平坦なプレートを形成できる。幾つかの例としての実施の形態においては、ソケット本体４０は、保持部８０に面して、その中に保持部８０を収納するための凹部（図示せず）を底部表面上に含むことができる。保持部８０は、ネジ９０のような適切な締結具で、ソケット本体４０に固定できる。
【００１７】
位置合わせプレート２０、ソケット本体４０、及び保持部８０は、ほぼ平坦とすることができ、互いに隣接して配置できる。例えば、図１に示されているように、位置合わせプレート２０をソケット本体４０の上部に重ね、ソケット本体４０を保持部８０の上部に重ねることができる。
【００１８】
図２は、１つの例としての実施の形態に係る電気プローブ６０を例示している。電気プローブ６０は、電気信号を２つの電気構成要素の間で送信するように構成されている連結器とすることができる。例えば、例としての実施の形態によれば、電気プローブ６０は、ＩＣチップを試験するために使用されるＰＣＢにＩＣチップを電気的に接続するために、試験システム１００に設けることができる。
【００１９】
上述したように、各電気プローブ６０は、ソケット本体４０の対応するソケットキャビティ４５に搭載できる。ソケット本体４０は、複数の電気プローブ６０を電気的に隔離するための絶縁基板から形成できる。後でより詳細に記述するように、電気プローブ６０は、ソケット本体４０のソケットキャビティ４５内に直接組み付けることができる。代替の実施の形態においては、電気プローブ６０は、シェル又はケーシングに予め組み付け、その後に、対応するソケットキャビティ４５内に半田付け又は圧入できる。
【００２０】
図２に示されているように、電気プローブ６０は、ソケット本体４０のソケットキャビティ４５と、保持部８０の保持部キャビティ８５との、位置合わせされた対に配置でき、ソケットキャビティ４５は、ＩＣチップの対応する接触パッドと位置合わせされ、保持部キャビティ８５は、ＰＣＢの対応する接触パッドと位置合わせされる。このため、ソケットキャビティ４５と保持部キャビティ８５との位置合わせされた対に配置されている電気プローブ６０は、チップキャビティ２５に置かれているＩＣチップの対応する接触パッドと、保持部８０の下に置かれているＰＣＢの対応する接触パッドとの間を電気的に接続できる。
【００２１】
電気プローブ６０の数（及び、ソケットキャビティ４５と保持部キャビティ８５の対応する数）は、制限されることはないが、試験されるＩＣチップのタイプ及び構成、所望されるデータレート、及び、電気プローブ６０により電気的に接続されているＰＣＢは又は装置の構造を含む、多数のファクタに依存して変えることができる。
【００２２】
図２に示されているように、電気プローブ６０は、上部プランジャ６４、底部プランジャ６６、及び、上部と底部プランジャ６４と６６との間に配置されている付勢装置６５を含むことができる。電気プローブ６０はまた、上部プランジャ６４、底部プランジャ６６、及び付勢装置６５を実質的に取り囲むように構成されているシェル５０も含むことができ、上部プランジャ６４、付勢装置６５、及び底部プランジャ６６はすべて、シェル５０の内部に可動に配置されている。
【００２３】
シェル５０はほぼ管状とすることができ、メッキ合金（例えば、ニッケル及び／又は金）のような伝導性材料から形成できる。シェル５０は、その外部表面の少なくとも一部がソケットキャビティ４５の内部表面と同じ形になるようにソケットキャビティ４５の内部に形成できる。シェル５０の断面は、円形、楕円形、正方形、長方形、又は任意の他の形とすることができる。シェル５０は、異なる断面形状及び／又は異なる寸法の複数の部分を含むことができる。
【００２４】
１つの例としての実施の形態においては、シェル５０をソケットキャビティ４５の内部に直接形成できる。エポキシのような適切な結合材料を、シェル５０とソケットキャビティ４５との間の空間を充填し、それによりシェル５０をソケットキャビティ４５に保持するために使用できる。代替的又は追加的に、シェル５０をソケットキャビティ４５内に圧入できる。
【００２５】
上部プランジャ６４は、末端部における先端部６１と、末端部と反対側の基端部におけるテール部６３と、先端部６１とテール部６３との間に配置されているカム要素６２を含むことができる。カム要素６２は、上部プランジャ６４の縦軸と実質的に直交している面において、先端部６１とテール部６３との間のシャフト部分から側方向に延伸できる。先端部６１、カム要素６２、及びテール部６３は、単一ユニットとして一体的に形成できる。
【００２６】
カム要素６２は、実質的に多角形の形を有することができる。例えば、図２に示されている実施の形態においては、カム要素６２を、その（上部プランジャ６４の軸に直交している面における）幅よりも小さな（上部プランジャ６４の軸に沿う）厚さを有している正方形として構成できる。幾つかの例としての実施の形態においては、カム要素６２の、多角形の頂点により形成されている側部エッジは、側面間の滑らかな移行部を形成するために面取りできる。
【００２７】
シェル５０は、上部プランジャ６４の先端部６１が、ＩＣチップの対応する接触パッドに電気的に接触するために延伸できる末端開口部５１を含むことができる。シェル５０はまた、カム要素６２の上部表面に隣接するように構成され、先端部６１が予め決められた距離を越えて延伸することを防止するための停止器として機能する肩状部５３も含むことができる。
【００２８】
シェル５０の上部は、上部プランジャ６４のカム要素６２と協働して、又はそれと係合して、上部プランジャ６４がその縦軸に沿って上下に往復運動をするときに、上部プランジャ６４を回転させるように構成されている内部キャビティを形成している首状部５５を含むことができる。例えば、ここにおいてより詳細に記述されるように、首状部５５の内部キャビティは、中心軸の周りでねじられて、それにより、カム要素６２を収納し、且つそれと係合するための形状及びサイズにされている、ほぼ螺旋状のカム表面を形成している中空の多角形シャフト（例えば、正方形シャフト）により形成できる。従って、上部プランジャ６４がその軸に沿って上下に往復運動をするときに、カム要素６２の周辺側面は、首状部５５のカム表面に接触でき、且つそれに沿って進むことができ、それにより先端部６１を含む上部プランジャ６４をその軸の周りで回転させる。シェル５０の首状部５５は、図２の開示されている実施の形態においては、正方形の断面形を有しているが、首状部５５は、例えば、三角形又は五角形のような任意の他の多角形の形を有することができるということは理解されるべきである。更に、開示と矛盾せずに、首状部５５は多角形（正多角形でも非正多角形でも）の形に制限されず、実質的に楕円形、「卵」形、又は任意の他の非正角形のような、任意の非円形を提示できるということは理解されるべきである。
【００２９】
幾つかの例としての実施の形態においては、首状部５５の断面積は、少なくともその長さの一部に沿って変化できる。例えば、図２に示されている開示された実施の形態においては、首状部５５の断面積は、その長さに沿うほぼ中間点から、首状部５５の底部に向かって徐々に増すことができ、それにより、カム表面を形成している首状部５５の上部と、ソケットキャビティ４５の内部表面に隣接しているシェル５０の本体部との間の移行部として機能できる。
【００３０】
種々の例としての実施の形態によれば、上部プランジャ６４が、自由状態（例えば、図３）から試験状態（例えば、図５）に移動するときの、上部プランジャ６４の軸に対する上部プランジャ６４の角度変位（例えば、回転角度）は、約９０度未満とすることができる。例えば、１つの例としての実施の形態においては、首状部５５の内部キャビティにおけるねじれの角度は、中心軸に対して約３０度から約４０度の範囲とすることができ、約０．２５ｍｍから約０．３５ｍｍの範囲である首状部５５の長さにわたって設けることができる。上部プランジャ６４は、図３〜５を参照して上述した実施の形態においては、約０．２ｍｍの距離を移動するので、角度変位は、公称のバックラッシュ及び許容誤差を無視して、約２３度とすることができる。上部プランジャ６４のそのような相対的に小さな角度変位を有することは、接触パッドに損傷を与え、望ましくない「ごみ」及び／又は汚染物質を生成し得る、ＩＣチップ１０の接触パッド上の過度の擦りを防止できる。開示されている寸法は単に例に過ぎず、本開示の種々の可能な構成の説明を容易にするために提供されているということは理解すべきである。幾つかの例としての実施の形態においては、角度変位は９０度を越えてよい。
【００３１】
幾つかの例としての実施の形態においては、シェル５０はまた、シェル５０と結合されている（例えば、固定されている）クリンプも含むことができる。クリンプはカム要素６２を捕捉するような形状及びサイズにでき、それにより、上部プランジャ６４は、所定の位置より下へは変位しない。
【００３２】
底部プランジャ６６は、テール部６８と、テール部６８から延伸して、保持部８０の下に置かれているＰＣＢの対応する接触子に電気的に接触する先端部６９を含むことができる（例えば、図４参照）。底部プランジャ６６はまた、先端部６９とは反対方向に、テール部６８から軸方向に延伸している中心突起部６７も含むことができる。中心突起部６７は、図２に示されているように、付勢装置６５の中空の中心に挿入されるような形状及びサイズにできる。テール部６８の断面は先端部６９の断面より大きくてよく、それにより、保持部キャビティ８５は、テール部６８が完全に保持部キャビティ８５を通り抜けることを少なくとも部分的には防止して、底部プランジャ６６をソケットキャビティ４５と保持部キャビティ８５の内部に保持しながら、先端部６９のみの通過を可能にできる。
【００３３】
付勢装置６５は、ばね、又は、上部及び底部プランジャ６４と６６の１つ又はその両者に付勢力を加えて、それらをシェル５０から外側に付勢できる任意の他の装置とすることができる。付勢装置６５は、シェル５０の内部表面の形に対応するような形にされている断面を有することができる。
【００３４】
上部プランジャ６４の先端部６１とテール部６３と、底部プランジャ６６の先端部６９とテール部６８は、プランジャ６４と６６及びシェル５０との間の電気的接続を可能にするために電導性材料から形成できる。付勢装置６５もまた電導性材料から形成でき、ＩＣチップとＰＣＢとの間の電気的接続を可能にできる。
【００３５】
図３は、自由状態における電気プローブ６０を例示しており、上部プランジャ６４と底部プランジャ６６の何れにも外力が加えられていない。この状態において、上部プランジャ６４と底部プランジャ６６は、付勢装置６５の力により外に向けて延伸されている。例えば、図３の開示されている実施の形態においては、上部プランジャ６４の先端部６１は、シェル５０の末端開口部５１から突出でき、底部プランジャ６６の先端部６９は、保持部８０の保持部キャビティ８５の底面から突出できる。単なる例に過ぎないが、図３に示されている自由状態においては、上部プランジャ６４の先端部６１と、底部プランジャ６６の先端部６９との間の距離ｄ1は約２．７５ｍｍ、上部プランジャ６４の先端部６１と、ソケット本体４０の上部表面との間の距離ｄ2は約０．２０ｍｍ、及び底部プランジャ６６の先端部６９と、ソケット本体４０の底部表面との間の距離ｄ3は約０．１５ｍｍとすることができる。自由状態におけるばね力は、約６．２重量グラム（ｇｆ）とすることができる。
【００３６】
図４は、ＰＣＢにより押されている状態における電気プローブ６０を例示しており、試験のためのＰＣＢ３０は、その接触パッドが底部プランジャ６６の対応する先端部６９に接触できるようにソケット本体４０の底部表面と接触させられる。この状態において、底部プランジャ６６を、付勢装置６５に向けて内部に向けられている力のもとで、シェル５０の内部に押し下げることができる。単なる例に過ぎないが、このＰＣＢにより押されている状態におけるばね力は、約１５．３ｇｆとすることができる。
【００３７】
図５は、試験状態における電気プローブ６０を例示しており、ＩＣチップ１０は位置合わせプレート２０のチップキャビティ２５の中に置かれ、それによりＩＣチップ１０の接触パッドが、上部プランジャ６４の対応する先端部６１と位置合わせされ且つ接触することが可能になる。この状態において、ＩＣチップ１０とＰＣＢ３０は、上部及び底部プランジャ６４と６６それぞれの、先端部６１と６９それぞれに対して力を加えることができ、プランジャ６４と６６の両者を、シェル５０に内部に向けて押し下げることができる。上部プランジャ６４がシェル５０内に押し下げられるとき、カム要素６２の周辺側部表面は、シェル５０の首状部５５の内部キャビティにより形成されるカム表面に接触、追従、又は係合できる。これにより、上部プランジャ６４が押し下げられるときに、上部プランジャ６４をその軸の周りで回転させることができる。上部プランジャ６４の回転により、上部プランジャ６４の先端部６１が、接触領域におけるＩＣチップ１０の接触パッド上に存在し得る「ごみ」又は汚染物質を擦り取ることが可能となり、それにより、上部プランジャ６４の先端部６１と、ＩＣチップ１０の対応する接触パッドとの間の電気的接触を向上させる。単なる例に過ぎないが、試験状態におけるばね力は、約２７．４ｇｆとすることができる。
【００３８】
図６〜１０は、１つの例としての実施の形態に係る、図２〜５に示されている電気プローブ６０のような、電気プローブを製造する方法を例示している。図６に示されているように、電気プローブのシェルの所望の形に実質的に対応している外形を有するマンドレル２００を提供できる。マンドレル２００は、ワイヤから機械加工でき、又は、例えば、射出成形により鋳造できる。
【００３９】
マンドレル２００は、化学的エッチングなどのように、化学的に溶解又は除去できる材料から形成できる。幾つかの例としての実施の形態においては、マンドレル２００は、アルミニウム合金から形成できる。マンドレル２００は、先端部２１０と、肩状部２２０と、首状部２３０と、本体部２４０を含むことができる。本体部２４０は、ほぼ円筒形で、首状部２３０よりも大きな断面積を有することができる。実施の形態においては、首状部２３０は、その軸の周りでねじられて螺旋状又はつる巻状の外部表面を形成しているほぼ多角形のシャフトから形成できる。首状部２３０の断面積は、その長さに沿って、上部から底部へ徐々に増すことができる。幾つかの例としての実施形態においては、首状部２３０の側部エッジは、図６において示されているように面取りできる。首状部２３０の上端部は、マンドレル２００の縦軸に実質的に直交している面を有する肩状部２２０で終端できる。先端部２１０は、肩状部２２０よりも小さな断面積を有することができ、マンドレル２００の縦軸に沿って肩状部２２０から延伸できる。
【００４０】
首状部２３０は、ほぼ正方形の断面形状を有しているように描かれている（多角形の「隅部」又は頂点における移行部は、例えば、２つの隣接エッジ間の鋭い移行部と、図６に示されているような、２つ隣接エッジ間の傾斜を付けられたエッジ又は面取り部を含むより粗い移行部、及び実質的に丸く曲げられ、又は「丸められている」、２つの隣接エッジ間の滑らかな移行部との間の任意の移行部を提示できる）が、首状部２３０は、多角形の任意の「隅部」又は頂点における同じような移行部における潜在的な変形例を伴って、例えば、三角形又は五角形のような任意の他の多角形の形を有することができるということは理解されるべきである。
【００４１】
そしてマンドレル２００は、１以上の層２５０でメッキできる（図７）。１つの例としての実施の形態においては、マンドレル２００は、例えば、金、ニッケル、及び他のメッキ合金のような１つ以上のメッキ金属でメッキできる。層２５０のメッキ材料及び厚さは、特定の適用に基づいて決定できる。
【００４２】
次に、図７に示されているように、層２５０を有するマンドレル２００は、エポキシのような適切な結合材料を、層２５０と、ソケットキャビティ２４５の内部表面との間の間隙に注入することによりソケットキャビティ２４５に固定できる。その結果、層２５０の外部表面を、ソケットキャビティ２４５の内部表面に取り付けることできる。代替的又は追加的に、層２５０を有するマンドレル２００を、ソケットキャビティ２４５内に圧入でき、本体部２４０の外部表面は、ソケットキャビティ内に圧縮され、それにより、層２５０の外部表面を、ソケットキャビティ２４５の内部表面に取り付けることができる。
【００４３】
ソケットキャビティ２４５はソケット本体４００の中に形成でき、ソケット本体４００全体の厚さを通して延伸できる。ソケットキャビティ２４５は、図７に示されているように、その長さに沿って実質的に一様な断面積を有することができる。代替的に、ソケットキャビティ２４５の断面積は、その長さに沿って変化できる。例えば、ソケットキャビティ２４５は、層２５０を有するマンドレル２００の外部表面と非常に整合している内部表面を有することができる。
【００４４】
層２５０を有するマンドレル２００が、ソケットキャビティ２４５の内部に確実に取り付けられ、結合材料が実質的に硬化した後に、ソケット本体４００の上部及び底部表面それぞれから突出している、マンドレル２００の上部及び底部端部２１０と２９０を除去（機械加工）でき、それにより、層２５０とマンドレル２００は、図８に示されているように、ソケット本体４００の上部及び底部表面と同じ高さになる。この技術において知られている、端部２１０と２９０を除去するための任意の他の方法を、代替的又は追加的に使用できる。
【００４５】
層２５０を有するマンドレル２００の端部２１０と２９０が除去されると、層２５０を有するマンドレル２００を、その両端部から露出させることができる。端部が露出された状態で、マンドレル２００を化学的に溶解及び／又は除去することができ（例えば、化学的エッチングを介して）、図９に示されているように、ソケットキャビティ２４５に層２５０のみを残すことができる。ソケットキャビティ２４５における層２５０は、図２〜５を参照して上述したシェル５０を形成できる。
【００４６】
図１０に示されているように、図２〜５の電気プローブを形成するために、上部プランジャ６４、付勢装置６５、及び底部プランジャ６６を、層２５０（以降、シェル５０と称される）の内部表面により形成されているソケットキャビティ２７０内に挿入できる。例えば、１つの例としての実施形態においては、上部プランジャ６４を、その先端部６１が、シェル５０の末端開口部５１を、少なくとも部分的には通して延伸している状態で、ソケットキャビティ２７０内に挿入できる。続いて、付勢装置６５と底部プランジャ６６とを、シェルキャビティ２７０内に挿入できる。付勢装置６５は、上部及び底部プランジャ６４と６６それぞれの、テール部６３と６７それぞれの間に位置させることができる。次に、保持部８０を、底部プランジャ６４の先端部６９が、対応する保持部キャビティ（例えば、図２に示されている保持部キャビティ８５）を通して延伸できるように、ソケット本体４００の底部表面に対して位置させることができる。保持部８０は、シェル５０内部の、上部プランジャ及び底部プランジャ６４と６６と付勢装置６５のスライディング運動を保持及び制限するように機能できる。
【００４７】
当業者には、種々の修正及び変形を、開示の範囲から逸脱することなく、開示されているシステム及びプロセスにおいて行うことができるということは明白であろう。つまり、当業者には、他の実施の形態が、開示の明細書及び実践を考慮することにより明白であろう。明細書と例は、単なる例として意図され、実際の範囲は、下記の請求項及びその等価物により示されている。
【００４８】
発明の他の実施の形態は、当業者には、ここにおいて開示される発明の明細書及び実践を考慮することにより明白であろう。明細書と例は、単なる例として意図され、発明の実際の範囲及び精神は、下記の請求項より示されている。
【図１】
2020012848.tif 000003
【図２】
2020012848.tif 000004
【図３】
2020012848.tif 000005
【図４】
2020012848.tif 000006
【図５】
2020012848.tif 000007
【図６】
2020012848.tif 000008
【図７】
2020012848.tif 000009
【図８】
2020012848.tif 000010
【図９】
2020012848.tif 000011
【図１０】
2020012848.tif 000012
【手続補正書】
【提出日】令和1年10月17日(2019.10.17)
【手続補正１】
【補正対象書類名】明細書
【補正対象項目名】００４８
【補正方法】変更
【補正の内容】
【００４８】
発明の他の実施の形態は、当業者には、ここにおいて開示される発明の明細書及び実践を考慮することにより明白であろう。明細書と例は、単なる例として意図され、発明の実際の範囲及び精神は、下記の請求項より示されている。
［構成１］
電気プローブであって、
縦軸に沿って延伸し、第１の端部における開口部を有する内部キャビティを形成し、前記縦軸の周りでねじられて内部カム表面を形成している中空の多角形のシャフトにより形成されている首状部を備えている、シェルと、
前記内部キャビティにスライド可能に収納されたプランジャであって、
前記プランジャが、
前記第１の端部における前記開口部を、少なくとも部分的には通して延伸するように構成されている先端部と、
前記先端部と一体的に形成されているカム要素と、
を備えており、
前記カム要素は、前記縦軸に直交している面において、外周が、前記中空の多角形のシャフトの断面部の内周と同じ又はそれ未満であるように形成されている形を有し、これにより、前記プランジャが前記シェルの前記縦軸に沿って往復運動をするときに、前記カム要素が、前記首状部の前記内部カム表面と係合して、前記先端部の回転を引き起こす、
プランジャと、
前記プランジャに付勢力を加えるように構成されている、付勢装置と、
を備えている、
電気プローブ。
［構成２］
前記カム要素は、多角形のプレートを備えている、
構成１に記載の電気プローブ。
［構成３］
前記カム要素は、前記縦軸と直交している前記面における幅よりも小さい、前記縦軸に沿う厚さを有する正方形プレートを備えている、
構成２に記載の電気プローブ。
［構成４］
前記カム要素が、ねじられていない、
構成２に記載の電気プローブ。
［構成５］
前記多角形のプレートの少なくとも１つの頂点は、前記多角形のプレートの２つの隣接する側面の間で面取りされている、
構成２に記載の電気プローブ。
［構成６］
前記シェルは、前記カム要素の表面に接し、前記プランジャが、前記第１の端部における前記開口部を通して、所定の距離を越えて延伸することを防止するように構成されている肩状部を更に備えている、
構成１に記載の電気プローブ。
［構成７］
ねじられている前記中空の多角形のシャフトにより形成されている前記内部カム表面は、前記カム要素を収納するための形状及びサイズにされている螺旋状カム表面を備えている、
構成１に記載の電気プローブ。
［構成８］
前記首状部を形成している前記中空の多角形のシャフトは、前記縦軸の周りを約９０度未満ねじられている、
構成１に記載の電気プローブ。
［構成９］
前記シェルは、ソケット本体のソケットキャビティに取り付けられている、
構成１に記載の電気プローブ。
［構成１０］
前記シェルを前記ソケットキャビティに取り付けるために、前記シェルと前記ソケットキャビティとの間の間隙に注入される結合材料を更に備えている、
構成９に記載の電気プローブ。
［構成１１］
前記結合材料は、エポキシである、
構成１０に記載の電気プローブ。
［構成１２］
前記第１の端部とは反対側の、前記シェルの第２の端部において形成されている別の開口部を、少なくとも部分的には通して延伸するように構成されている先端部を有する別のプランジャを更に備え、
前記付勢装置は、前記プランジャと、前記別のプランジャとの間に配置されている、
構成１に記載の電気プローブ。
［構成１３］
前記第２の端部における前記別の開口部は、前記第１の及び第２のプランジャと前記付勢装置とを、前記シェルの前記内部キャビティの内部に保持するため、保持部により閉じられ、
前記保持部は、前記別のプランジャの前記先端部が、少なくとも部分的には延伸する保持部キャビティを備えている、
構成１２に記載の電気プローブ。
［構成１４］
電気コネクタであって、
複数のソケットキャビティを備えているソケット本体と、
対応する前記複数のソケットキャビティの内部に配置されている複数の電気プローブと、
を備え、
前記複数の電気プローブのそれぞれは、
各対応するソケットキャビティの内部表面に取り付けられ、縦軸に沿って延伸し、第１の端部における開口部を有する内部キャビティを形成し、前記縦軸の周りでねじられて内部カム表面を形成している中空の多角形シャフトにより形成されている首状部を備えている、シェルと、
前記内部キャビティにスライド可能に収納されているプランジャであって、
前記プランジャが、
前記第１の端部における前記開口部を、少なくとも部分的には通して延伸するように構成されている先端部と、
前記先端部と一体的に形成されているカム要素と、
を備え、
前記カム要素は、前記縦軸に直交している面において、外周が前記中空の多角形シャフトの断面部の内周と同じ又はそれ未満であるように形成されている形を有し、これにより、前記カムが、要素前記プランジャが前記シェルの前記縦軸に沿って往復運動をするときに、前記首状部の前記内部カム表面と係合して、前記先端部の回転を引き起こす、
プランジャと、
前記プランジャに付勢力を加えるように構成されている、付勢装置と、
を備えている、
電気コネクタ。
［構成１５］
前記カム要素は、多角形のプレートを備えている、
構成１４に記載の電気コネクタ。
［構成１６］
前記カム要素は、前記縦軸と直交している前記面における幅よりも小さい、前記縦軸に沿う厚さを有する正方形プレートを備えている、
構成１５に記載の電気コネクタ。
［構成１７］
前記カム要素が、ねじられていない、
構成１５に記載の電気コネクタ。
［構成１８］
ねじられている前記中空の多角形シャフトにより形成されている前記内部カム表面は、前記カム要素を収納するための形状及びサイズにされている螺旋状カム表面を備えている、
構成１５に記載の電気コネクタ。
［構成１９］
電気コネクタを製造する方法であって、
縦軸の周りにねじられている多角形のシャフトにより形成されている首状部を備え、外部表面上にメッキ層を有する、メッキされたマンドレルを、ソケット本体のソケットキャビティ内に挿入するステップと、
前記メッキされたマンドレルを、前記ソケットキャビティ内に固定するステップと、
前記ソケットキャビティから前記マンドレルを除去するステップであって、
前記ソケットキャビティに固定されているシェルを形成するために、前記メッキ層の少なくとも一部を残しながら、前記ソケットキャビティから前記マンドレルを除去するステップであって、前記シェルの内部キャビティが、前記首状部のねじられている前記多角形のシャフトにより形成されているカム表面を備えるようにする、
ステップと
プランジャと付勢装置とを、前記シェルの前記内部キャビティ内に挿入するステップであって、
前記プランジャが、
先端部と、
前記先端部と一体的に形成されているカム要素と、
を備えており、
前記カム要素は、前記縦軸に直交している面において、外周が前記多角形のシャフトの断面部の内周と同じ又はそれ未満であるように形成されている形を有し、これにより、前記カム要素が、前記プランジャが前記縦軸に沿って往復運動をするときに、前記シェルの前記カム表面と係合して、前記先端部の回転を引き起こす、
ステップと、
を備えている、
電気コネクタを製造する方法。
［構成２０］
前記カム要素は、多角形のプレートを備えている、
構成１９に記載の方法。
［構成２１］
前記カム要素は、前記縦軸と直交している前記面における幅よりも小さい、前記縦軸に沿う厚さを有する正方形プレートを備えている、
構成２０に記載の方法。
［構成２２］
前記カム要素が、ねじられていない、
構成１９に記載の方法。
［構成２３］
ねじられている前記多角形のシャフトにより前記シェルの内部に形成されている前記カム表面は、前記カム要素を収納するための形状及びサイズにされている螺旋状カム表面を備えている、
構成１９に記載の方法。
［構成２４］
前記マンドレルの前記首状部は、前記縦軸の周りを約９０度未満ねじられている、
構成１９に記載の方法。
［構成２５］
前記メッキされたマンドレルを前記ソケットキャビティ内に固定するステップが、前記メッキされたマンドレルと前記ソケットキャビティとの間の間隙に結合材料を注入するステップを備え、前記メッキされたマンドレルを前記ソケットキャビティに固定する、
構成１９に記載の方法。
【手続補正２】
【補正対象書類名】特許請求の範囲
【補正対象項目名】全文
【補正方法】変更
【補正の内容】
【特許請求の範囲】
【請求項１】
電気プローブであって、
縦軸に沿って延伸し、第１の端部における開口部を有する内部キャビティを形成するシェルであって、前記シェルは、中空の多角形のシャフトにより形成されている首状部を備えており、前記シャフトは、前記縦軸の周りでねじられていて螺旋状内部カム表面を有している、シェルと、
前記内部キャビティにスライド可能に収納されたプランジャであって、
前記プランジャが、
前記第１の端部における前記開口部を通して少なくとも部分的に延伸するように構成されている先端部と、
前記縦軸に沿った厚さを有する多角形の形に形成されているカムであって、複数の側面と、前記多角形の頂点により前記側面同士間に形成されている複数の側縁とを有しているカムと、
を備えており、
前記カムの側面は、前記プランジャが前記シェルの前記縦軸に沿って往復運動をするときに、前記中空の多角形のシャフトの前記螺旋状内部カム表面と係合しかつそれに沿って進行して、前記先端部の回転を引き起こす、ように構成されている、
プランジャと、
前記プランジャに付勢力を加えるように構成されている、付勢装置と、
を備えている、
電気プローブ。
【請求項２】
前記カムは、実質的に多角形のプレートを備えている、
請求項１に記載の電気プローブ。
【請求項３】
前記カムは、正方形プレートを備えており、前記縦軸に沿った厚さは、前記縦軸に実質的に直交する面内における幅よりも小さい、
請求項２に記載の電気プローブ。
【請求項４】
前記カムが、実質的にねじられていない、
請求項２に記載の電気プローブ。
【請求項５】
前記多角形のプレートの少なくとも１つの頂点は、前記多角形のプレートの２つの隣接する側面の間で面取りされている、
請求項２に記載の電気プローブ。
【請求項６】
前記シェルが肩状部を更に備え、前記肩状部は、前記カムの表面に接して、前記プランジャの先端が前記第１の端部における前記開口部を通し所定の距離を越えて延伸することを防止するように構成されている、
請求項１に記載の電気プローブ。
【請求項７】
前記中空の多角形のシャフトにより形成されている前記螺旋状内部カム表面は、前記カムを収納するための形状及びサイズにされている、
請求項１に記載の電気プローブ。
【請求項８】
前記首状部を形成している前記中空の多角形のシャフトは、前記縦軸の周りに約９０度未満ねじられている、
請求項１に記載の電気プローブ。
【請求項９】
前記シェルは、ソケット本体のソケットキャビティに取り付けられている、
請求項１に記載の電気プローブ。
【請求項１０】
前記シェルを前記ソケットキャビティに取り付けるために、前記シェルと前記ソケットキャビティとの間の間隙に注入される結合材料を更に備えている、
請求項９に記載の電気プローブ。
【請求項１１】
前記結合材料は、エポキシである、
請求項１０に記載の電気プローブ。
【請求項１２】
先端部を有する別のプランジャを更に備え、前記先端部は、前記第１の端部とは反対側の、前記シェルの第２の端部に形成されている別の開口部を通して少なくとも部分的に延伸するように構成されており、
前記付勢装置は、前記プランジャと、前記別のプランジャとの間に配置されている、
請求項１に記載の電気プローブ。
【請求項１３】
前記第２の端部における前記別の開口部は、前記プランジャ及び前記別のプランジャと前記付勢装置とを、前記シェルの前記内部キャビティの内部に保持するため、保持部により実質的に閉じられ、
前記保持部は、保持部キャビティを備え、前記別のプランジャの前記先端部は、前記保持部キャビティを通して少なくとも部分的に延伸する、
請求項１２に記載の電気プローブ。
【請求項１４】
電気コネクタであって、
複数のソケットキャビティを備えているソケット本体と、
対応する前記複数のソケットキャビティの内部に配置されている複数の電気プローブと、
を備え、
前記複数の電気プローブのそれぞれは、
各対応するソケットキャビティの内部表面に取り付けられ、縦軸に沿って延伸し、第１の端部における開口部を有する内部キャビティを形成するシェルであって、前記シェルは、中空の多角形シャフトにより形成されている首状部を備えており、前記シャフトは、前記縦軸の周りでねじられていて螺旋状内部カム表面を有している、シェルと、
前記内部キャビティにスライド可能に収納されているプランジャであって、
前記プランジャが、
前記第１の端部における前記開口部を通して少なくとも部分的に延伸するように構成されている先端部と、
前記縦軸に沿った厚さを有する多角形の形に形成されているカムであって、複数の側面と、前記多角形の頂点により前記側面同士間に形成されている複数の側縁とを有しているカムと、
を備えており、
前記カムの側面は、前記プランジャが前記シェルの前記縦軸に沿って往復運動をするときに、前記螺旋状内部カム表面と係合しかつそれに沿って進行して、前記先端部の回転を引き起こす、ように構成されている、
プランジャと、
前記プランジャに付勢力を加えるように構成されている、付勢装置と、
を備えている、
電気コネクタ。
【請求項１５】
前記カムは、実質的に多角形のプレートを備えている、
請求項１４に記載の電気コネクタ。
【請求項１６】
前記カムは、正方形プレートを備えており、前記縦軸に沿った厚さは、前記縦軸に実質的に直交する面内における幅よりも小さい、
請求項１５に記載の電気コネクタ。
【請求項１７】
前記カムが、実質的にねじられていない、
請求項１５に記載の電気コネクタ。
【請求項１８】
前記中空の多角形シャフトにより形成されている前記螺旋状内部カム表面は、前記カムを収納するための形状及びサイズにされている、
請求項１４に記載の電気コネクタ。
【外国語明細書】
2020012848000001.pdf